(57)【特許請求の範囲】
【請求項１】
被検出物が近接したことを検出するための近接検出部と、
通話状態の報知を行なう報知部と、
操作するための操作部と、
通話状態中に、近接していた被検出物が近接しなくなったことを前記近接検出部が検出し、前記被検出物が近接しなくなったことを検出したときに、所定時間経過後に報知させるまでの時間の計測を開始する時間計測部と、
被検出物の近接を前記近接検出部が検出しないまま所定時間経過したことを検出したとしても、操作部に操作がなされた場合は、前記報知を行なわない、報知制御部と、を具備する携帯電話。
【請求項２】
前記報知部が報知した後に、前記近接検出部が被検出物の近接を検出したとき、所定時間経過後の通話の終了を止める、請求項１記載の携帯電話。
【請求項３】
前記携帯端末の加速度を検出する加速度検出部をさらに具備し、
前記操作部に操作がなされず、且つ、被検出物の近接を前記近接検出部が検出しないまま、所定時間経過したことを検出した場合であっても、前記加速度検出部が、被検出部の近接検出の際に前記携帯電話に加速度が発生したことを検出しない場合は、前記報知を行なわない、請求項１または２記載の携帯電話。
【発明の詳細な説明】
【技術分野】
【０００１】
本発明は、通話状態を終了させるための操作を促すよう報知する携帯電話に関する。
【背景技術】
【０００２】
携帯電話は、通話に使用する電力消費量が多く、電力消費量の低減化が近年検討されている。
【０００３】
例えば、特許文献１には、ユーザが通話終了操作を忘れて通話料金を課金されないよう、通話開始後、所定の時間経過後に通話を終了するようユーザに報知する携帯電話が記載されている。
【先行技術文献】
【特許文献】
【０００４】
【特許文献１】特開２００４−２９７５３９号公報
【発明の概要】
【発明が解決しようとする課題】
【０００５】
しかし、特許文献１に記載の携帯電話機の場合、通話終了時間があらかじめ決められており、ユーザが通話状態を維持したい場合でも通話を終了させる意思がない場合でも通話を終了するよう報知させる不利益があった。
【０００６】
本発明の目的は、実際は通話状態が続いているが、ユーザは通話状態が終わったと勘違いしている状況をより正確に検知して、通話状態を終了させるための操作をユーザに促すよう報知する通信装置を提供することにある。
【課題を解決するための手段】
【０００７】
本発明の一実施形態にかかる携帯電話は、被検出物が近接したことを検出するための近接検出部と、通話状態を終了させるよう報知するための報知部と、通話状態中に、近接していた被検出物が近接しなくなったことを前記近接検出部が検出し、前記被検出物が近接しなくなったことを検出したときにカウントを開始する時間カウント部と、被検出物の近接を前記近接検出部が検出しないまま所定時間経過したことを検出した場合、前記報知部により前記通話状態を終了させるよう報知させる報知制御部と、を具備する。
【０００８】
前記携帯電話は、操作するための操作部をさらに具備し、前記制御部は、前記所定時間内に、被検出物が近接したことを前記近接検出部が検出していないが前記操作部に対して操作がなされたことを検出した際、前記制御部は、前記時間のカウントを停止するよう前記時間カウント部を制御することが好ましい。
前記制御部は、前記時間のカウントを停止するよう前記時間カウント部を制御した後に前記操作部に対して操作がなされたことを検出しなくなった場合、前記時間のカウントを再開することが好ましい。
【０００９】
前記携帯電話は、前記携帯端末の移動を検出する移動検出部をさらに具備し、前記被検出物が近接しなくなってから前記所定時間内に被検出物が近接したことを検出しても、前記移動検出部が、前記被検出部の近接検出の際に前記携帯電話が移動したことを検出しない場合、前記制御部は、前記時間のカウントを停止させないよう前記時間カウント部を制御することが好ましい。
【発明の効果】
【００１０】
本実施形態にかかる携帯電話は、まだ通話状態が維持されているが、ユーザは通話状態が終了したと勘違いしている状況を正確に検知し、ユーザに対して通話状態を終了するよう報知する。これにより電力消費量を削減することができる。
【図面の簡単な説明】
【００１１】
【図１】本発明の実施の形態の一例を示す携帯電話１００の外観斜視図である。
【図２】本発明の実施の形態の一例を示す携帯電話１００のブロック構成図である。
【図３】図２の制御部１０８を詳細に示したブロック構成図である。
【図４】報知に関するプログラムの一実施形態を示すフローチャート図である。
【図５】報知画面を示す携帯電話１００の外観斜視図である。
【図６】報知に関するプログラムの一実施形態を示すフローチャートの部分拡大図である。
【図７】報知に関するプログラムの一実施形態を示すフローチャートの部分拡大図である。
【発明を実施するための形態】
【００１２】
本発明の一実施形態にかかる携帯電話を説明する。
【００１３】
〔構成〕
本発明の一実施形態にかかる携帯電話とは、外部と通信できる端末装置であればよく、携帯電話の他にＰＨＳ（Personal Handy-phone System）等が挙げられる。
【００１４】
以下に、携帯電話１００の構成について説明する。
【００１５】
図１は、携帯電話１００の外観斜視図である。なお、図１においては一例として表示画面１０２にタッチパネルを有するストレートタイプの携帯電話１００を示す。タッチパネルには、例えば、静電容量方式、抵抗膜方式、光学式、超音波表面弾性波方式、赤外線遮光方式、電磁誘導方式、画像認識方式など種々の方式がある。
【００１６】
なお、携帯電話の具体例として、前述のようにストレートタイプの携帯電話１００を示しているが、他に、折り畳み型、スライド型などの携帯電話であってもかまわない。
【００１７】
図１に示す携帯電話１００の外観には、近接センサ１０１、表示画面１０２、ランプ１０３、受話口（レシーバー）１０４、送話口（マイク）１０５、操作ボタンとして通話ボタン１０６ａおよび終話ボタン１０６ｂが備えられている。また、携帯電話１００の内部には、加速度センサ１０９が備えられている。
【００１８】
表示画面１０２は、携帯電話１００に備えられた機能を実現するために各種情報１０７を表示する。各種情報１０７としては、例えば、図１に示すような電波状態表示１０７ａ、電池残量１０７ｂ、日付表示１０７ｃおよび時刻表示１０７ｄが挙げられる。各種情報１０７としては他に、機能メニュー、アドレス帳、電話の着信履歴、発信履歴、メールの送信履歴および受信履歴、データフォルダに保存された文字データおよび画像データなども含まれる。表示画面１０２としては例えば、液晶表示画面、有機ＥＬ（ＥＬＥＣＴＲＯ  ＬＵＭＩＮＥＳＣＥＮＣＥ）表示画面、プラズマ表示画面、電子ペーパーなどが挙げられる。表示画面１０２が液晶表示画面の場合、表示画面１０２のバックライトを発光させて各種情報１０７を表示する。また、表示画面１０２が有機ＥＬ表示画面の場合、表示画面１０２の発光体を発光させて各種情報１０７を表示する。
【００１９】
図１の場合、表示画面１０２には、タッチパネル入力部が含まれる。なお、タッチパネ
ル入力部は、状況に応じて表示画面１０２の一部に現れる。
【００２０】
なお、本発明において「操作部」とは、前述の操作ボタンの他、前述のようにタッチパネル入力部を携帯電話１００が有する場合、タッチパネル入力部も操作部に含めることとする。
【００２１】
近接センサ１０１は、たとえば、静電容量式の近接センサである。近接センサ１０１は、被検出物（ユーザの耳など）が近接することにより静電容量が増加し、静電容量が閾値を越えると、検出信号を出力する。なお、近接センサ１０１は、静電容量式の近接センサに限られず、たとえば、超音波式や誘導形の近接センサであっても良い。
【００２２】
加速度センサ１０９は、例えば３軸加速度センサであり、図１のＸ軸方向、Ｙ軸方向およびＺ軸方向の３方向に生じる加速度を検出するように配されている。加速度センサ１０９は、検出した加速度に応じた加速度信号を図２の制御部１０８へ出力する。なお、加速度センサ１０９の設置場所は、携帯電話１００の移動を検出できれば、携帯電話１００の内部の場所は限定されない。
【００２３】
ランプ１０３は、電話の着信中であること、不在着信が存在することなどの電話の着信情報、または、新着メールを受信したこと、未読メールが存在することなどのメールの受信情報を、また、その他の情報を、外部に対して発光することによりユーザへ報知することができる。ランプ１０３としては、例えば、ＬＥＤランプなどが挙げられる。ランプ１０３は、点灯、点滅など光を発してユーザに報知する。
【００２４】
受話口１０４は、後述する制御部１０８からの制御信号によって外部に音を出力する機能を有する。受話口１０４は例えば、通話相手側の音声を出力することができる。
【００２５】
送話口１０５としては例えばマイクなどが挙げられ、音声などの外部からの音を入力する機能を有する。送話口１０５は、入力された音をアナログ信号としてＡ／Ｄコンバータに出力する。
【００２６】
通話ボタン１０６ａ、終話ボタン１０６ｂなどの操作ボタンは、ユーザからの操作の入力を受け付ける。操作ボタンが受け付けたユーザからの操作は、信号として制御部１０８に入力される。図１の操作ボタン１０６の場合、それが押圧されることで用いられる。
【００２７】
図１には図示していないが、携帯電話１００には、報知部としてスピーカが挙げられる。スピーカは、メロディ、呼び出し音などにより、電話の着信情報、メールの受信情報、またはその他の情報などをユーザに報知できる。スピーカの位置は特に限定されず、例えば、携帯電話１００の表面、側面または裏面に設けられる。
【００２８】
また、報知部としては他に振動部が挙げられる。振動部は、制御部１０８からの制御信号によって機械的振動を生じる。振動部は、例えば、モーターなどから構成され、電話の着信情報、メールの受信情報、またはその他の情報などを機械的振動によってユーザへ報知する。
【００２９】
図２は、携帯電話１００のブロック構成図である。
【００３０】
ＲＯＭ（ＲＥＡＤ  ＯＮＬＹ  ＭＥＭＯＲＹ）１１０は、携帯電話１００に備えられた各種処理を実行するためのプログラム、データなどを記憶する。
【００３１】
ＲＡＭ（ＲＡＮＤＯＭ  ＡＣＣＥＳＳ  ＭＥＭＯＲＹ）１１１は、制御部１０８からア
クセス可能であり、制御部１０８が各種処理を実行するための一時記憶領域（バッファ領域とも呼ぶ）として利用される。
【００３２】
例えば、被検出部が近接センサ１０１に近接しなくなったと検出された時点からの所定時間経過後に報知をおこなうことをユーザが設定した場合、ＲＡＭにその所定時間が記憶される。なお、前記所定時間としては、例えば３０〜６０秒に設定されてもよい。
【００３３】
無線回路１１２は、アンテナ１１３から入力された所定の高周波信号に復調処理及び復号処理を施してデジタルの音声信号へと変換する。また、制御部１０８から入力されたデジタルの音声信号には符号化処理及び変調処理を施して、高周波信号に変換する。そして、無線回路１１２は高周波信号をアンテナ１１３へ出力する。
【００３４】
アンテナ１１３は、所定の周波数帯域を受信して高周波信号として無線回路１１２に出力する。また無線回路１１２より出力された高周波信号を所定の周波数帯域の信号として出力する。
【００３５】
制御部１０８は、携帯電話１００に備えられたソフトウェアおよびハードウェアを制御する。例えば、制御部１０８は、表示画面１０２におけるタッチパネル入力部、操作ボタン１０６、など、ユーザにより受け付けた入力操作を検知して、携帯電話１００に備えられた各種機能を実行する。また、制御部１０８は、ＲＯＭ１１０またはＲＡＭ１１１と協働して携帯電話１００に記憶されたプログラムを実行する。
【００３６】
制御部１０８としては、例えば、制御用ＣＰＵなどが挙げられる。
【００３７】
図３には、図２における制御部１０８を具体的に示す。図３に示すように制御部１０８には、加速度判別部１１４、近接判別部１１５、時間カウント部１１６、所定時間判別部１１７、報知手段制御部１１８が設けられる。
【００３８】
加速度判別部１１４は、加速度センサ１０９により検出された携帯電話１００の加速度を伴う動きが所定のしきい値以上であるかどうかを検出する。加速度判別部１１４は、加速度センサ１０９からの３軸方向の加速度信号を取得する。携帯電話１００が移動した場合、移動し始めの段階において、３軸方向の加速度のうちの少なくとも何れか１つが大きく変化する。加速度判別部１１４は、何れかの加速度の変化が予め定めたしきい値を越えると、携帯電話１００が移動したと判定する。このとき、携帯電話１００がわずかに動く程度であれば移動したと判定されないよう、しきい値が設定される。なお、携帯電話１００の「移動」は、携帯電話１００を傾ける動作も含まれる。
【００３９】
近接判別部１１５は、例えば、近接センサ１０１が静電容量方式の場合、被検出物（ユーザの耳など）が近接センサ１０１に近接することにより静電容量が増加した際、静電容量がしきい値を超えるかどうかを判別し、超えたと判別したとき検出信号を出力する。
【００４０】
時間カウント部１１６は、ある事象が検出された時点からの時間をカウントする。例えば、「４分後にアラーム設定する」とユーザにより設定された場合、アラーム設定された時点から時間カウント部１１６は時間のカウントを始める。また、「報知を始めてから２分後に通話を終了させる」とユーザにより設定された場合、アラームなどの報知を始めた時点から時間カウント部１１６は時間のカウントを始める。他に、「近接していた被検出物が近接しなくなってから２分後に報知を行なう」とユーザにより設定された場合、近接していた被検出物が近接しなくなった時点から時間カウント部１１６は時間のカウントを行なう。
【００４１】
所定時間判別部１１７は、時間カウント部１１６においてカウントした時間が所定時間に到達したかどうかを判別する。
【００４２】
報知手段制御部１１８は、携帯電話１００が有する報知部を制御する。報知部としては、例えば、表示画面１０２、ランプ１０３、スピーカ（不図示）、振動部（不図示）などが挙げられる。例えば、ユーザにより設定された所定時間を経過したと所定時間判別部１１７が判別したとき、報知手段制御部１１８は報知部を制御する。
【００４３】
以上のように、タッチパネル入力部を有する携帯電話１００の例をもとにして説明したが、タッチパネル入力部のかわりにキー入力部を有する携帯電話１００であってもよい。
【００４４】
〔動作処理〕
次に、電話をかけた際の携帯電話１００の制御処理を実行するプログラムの一実施形態について図４を用いて説明する。なお、携帯電話１００としては、図１に示すようなストレートタイプであり、タッチパネルを備えたものを例に挙げる。
【００４５】
（第１実施形態）
ステップＳ１において、相手側に発信すると、相手側がその発信を受け付けた際に携帯電話１００は、そのテレフォンサービスと通話状態になる（ステップＳ２）。なお、通話状態における相手側は、この場合、テレフォンサービスであるが、通話状態における相手側は人の場合も含む。
【００４６】
その後、携帯電話１００がユーザの耳などの被検出物と近接したことを近接センサ１０１が検出する（ステップＳ３）。
【００４７】
終話ボタンを押すなどの終話操作が行なわれたかどうかを検出する（ステップＳ４）。なお、終話操作とは、この場合、終話ボタン１０６ｂを押下することであるが、本発明ではこの行為に限定されない。
【００４８】
終話操作が行なわれたと携帯電話１００が検出した場合（ステップＳ４：ＹＥＳ）、通話状態が終了する（ステップＳ５）。
【００４９】
一方、終話操作が行なわれたと携帯電話１００が検出しなかった場合（ステップＳ４：ＮＯ）、近接センサ１０１に被検出物が近接しなくなったかどうかを検出する（ステップＳ６）。
【００５０】
被検出物が近接しなくなったと検出された場合（ステップＳ６：ＹＥＳ）、近接しなくなったと検出された時点からの時間のカウントを始める（ステップＳ７）。
【００５１】
一方、被検出物が近接しなくなったと検出されなかった場合（ステップＳ６：ＮＯ）、フローは再びステップＳ４に移行して、終話操作が行なわれたかどうかを検出する。
【００５２】
ステップＳ７の後、近接しなくなったと検出された時点から、所定時間を経過したかどうかを検出する（ステップＳ８）。
【００５３】
所定時間を経過したと検出された場合（ステップＳ８：ＹＥＳ）、近接しなくなったと検出された時点からの時間のカウントを終了し（ステップＳ９）、終話操作がなされていないことを報知し（ステップＳ１０）、その報知時間のカウントを開始する（ステップＳ１１）。なお、報知の方法としては、例えば、図５のように、表示画面１０２に「終話ボタンが押されていません」など表示してもよい。また、携帯電話１００のスピーカ（不図
示）から警告音を鳴らしてもよいし、携帯電話１００を振動させてもよい。他に、ランプ１０３を特定の発光色により点灯させてもよいし、ランプ１０３を特定の点滅パターンにより点滅させてもよい。なお、これらの報知の方法は組み合わせて用いてもよい。
【００５４】
ステップＳ１１の後、終話操作があったかどうかを検出する（ステップＳ１２）。終話操作があったと検出された場合（ステップＳ１２：ＹＥＳ）、報知時間のカウントを終了し、前記報知と通話状態を終了する（ステップＳ１３）。
【００５５】
一方、終話操作があったと検出されなかった場合（ステップＳ１２：ＮＯ）、被検出物が近接しなくなった状態から被検出物が近接した状態に変化したかどうかを検出する（ステップＳ１４）。そして、被検出物が近接した状態に変化したと検出した場合（ステップＳ１４：ＹＥＳ）、終話操作なしと報知することを終了し、報知時間のカウントを終了する（ステップＳ１４）。そしてフローは再びステップＳ４に移行して、終話操作が行なわれたかどうかを検出する。例えば、ユーザがまだ通話状態を維持したいが何らかの理由によりしばらく耳から携帯電話１００を遠ざけていた場合、ステップＳ１０にて報知がなされてしまう。しかし、ユーザがまだ通話状態を維持したい場合に、このステップＳ１３のように、耳に携帯電話１００をすぐに近づけることにより報知を終了させて通話状態を維持することができる。
【００５６】
また、図４のフローは、ユーザがテレフォンサービスと通話状態である例を示しているが、例えば、ユーザが人と通話している場合に、何らかの理由により耳から携帯電話１００を離している場合にも、ユーザが携帯電話１００を耳に再び近づけることで、前記報知を終了させることができ、警告音、振動音など報知のための音が相手側に伝わることをすぐに防止することができる。
【００５７】
一方、被検出物が近接した状態に変化したと検出しなかった場合（ステップＳ１４：ＮＯ）、報知時間のカウントが所定時間を経過したかどうかを検出する（ステップＳ１６）。なお、ここでいう所定時間とは、報知を止めるまでの時間をいい、ユーザにより設定させる。
【００５８】
報知時間のカウントが所定時間を経過したことを検出した場合（ステップＳ１６：ＹＥＳ）、フローは前述のステップＳ１３に移行し、報知時間のカウントを終了し、前記報知と通話状態を終了する。
【００５９】
一方、報知時間のカウントが所定時間を経過したことを検出しなかった場合（ステップＳ１６：ＮＯ）、フローは再びステップＳ１２に移行して、終話操作があるかどうかを検出する。
【００６０】
再びステップＳ８を説明する。近接しなくなったと検出された時点から、所定時間を経過したと検出されなかった場合（ステップＳ８：ＮＯ）、被検出物が近接しなくなった状態から被検出物が近接した状態に変化したかどうかを検出する（ステップＳ１７）。そして、被検出物が近接した状態に変化したと検出した場合（ステップＳ１７：ＹＥＳ）、近接しなくなったと検出された時点からの時間のカウントを終了し（ステップＳ１８）、フローは再びステップＳ４に移行して、終話操作が行なわれたかどうかを検出する。
【００６１】
一方、被検出物が近接した状態に変化したと検出しなかった場合（ステップＳ１７：ＮＯ）、フローは再びステップＳ８に移行して、ステップＳ７にて近接しなくなったと検出されて時間カウントが開始した時点から、所定時間を経過したかどうかを検出する。
【００６２】
（第２実施形態）
次に、プログラムの別の一実施形態として図６に第２実施形態を示す。なお、図４で示した第１実施形態と、以下の点が異なる以外は図４で示すフローと同様である。
【００６３】
ステップＳ１７にて被検出物が近接した状態に変化したと検出しなかった場合（ステップＳ１７：ＮＯ）、図４では、フローは再びステップＳ８に移行したが、図６では、操作ボタン１０６または表示画面１０２のタッチパネル入力部が操作されたかどうかを検出する（ステップＳ１９）。
【００６４】
操作ボタン１０６または表示画面１０２のタッチパネル入力部が操作されたことを検出した場合（ステップＳ１９：ＹＥＳ）、前記操作が検出されている間、近接しなくなったと検出された時点からの時間のカウントを停止させる（ステップＳ２０）。そして、ステップＳ２１にて操作が終了したと検出された場合（ステップＳ２１：ＹＥＳ）、時間のカウントを再開し（ステップＳ２２）、フローは再びステップＳ８に移行して、近接しなくなったと検出された時点から、所定時間を経過したかどうかを検出する。一方、ステップＳ２１にて操作が終了したと検出されなかった場合（ステップＳ２１：ＮＯ）、フローは再びステップＳ２１に移行する。
【００６５】
上述のステップをフローに含めることで、例えば、通話中に携帯電話１００を操作するためにユーザが携帯電話１００を耳などから離した場合、前記時間のカウントが停止する。そのため、ユーザが終話したつもりがないときに終話操作するとの報知誤って行なわないように制御できる。
【００６６】
ここで、具体的に時間のカウントについて説明する。近接しなくなったと検出された時点から、終話操作がないことを報知するまでの所定時間を、２０秒と設定した場合を例に挙げる。
【００６７】
ステップＳ１７にて操作ボタン１０６または表示画面１０２のタッチパネル入力部が操作されたことを検出した時点でカウントされた時間が「１５秒」であった場合、それらが操作されている間、時間は「１５秒」のままでカウントを停止する。そして、それらの操作が終了したことをステップＳ１９にて検出してから、ステップＳ２０にて時間「１５秒」からカウントを再開する。
【００６８】
なお、カウントを再開する際に、時間「１５秒」のカウントを「０秒」にリセットしてもよい。この場合、操作が検出されなくなった時点が近接しなくなったと検出された時点とみなされる。
【００６９】
（第３実施形態）
次に、プログラムの別の一実施形態として図７に第３実施形態を示す。なお、図４で示した第１実施形態と、以下の点が異なる以外は図４で示すフローと同様である。
【００７０】
ステップＳ１７にて被検出物が近接した状態に変化したと検出した場合（ステップＳ１７：ＹＥＳ）、図４では、フローはステップＳ１８にて、近接しなくなったと検出された時点からの時間のカウントを終了したが、図７では、近接した状態に変化する直前に携帯電話１００が移動したかどうかを検出する（ステップＳ２３）。近接した状態に変化する直前に携帯電話１００が移動したことを検出した場合（ステップＳ２３：ＹＥＳ）、フローはステップＳ１８に進み、近接しなくなったと検出された時点からの時間のカウントを終了する。
【００７１】
一方、近接した状態に変化する直前に携帯電話１００が移動したことを検出しなかった場合（ステップＳ２３：ＮＯ）、フローはステップＳ８に再度移行し、近接しなくなった
と検出された時点からカウントしていた時間のカウントを引き続き行なう。
【００７２】
ここで、以下に具体的な説明を行なう。近接しなくなったと検出された時点から、終話操作がないことを報知するまでの所定時間を、２０秒と設定した場合を例に挙げる。
【００７３】
ステップＳ１７にて近接に変化した後、ステップＳ２３にて近接に変化する直前に移動があると検出されなかった場合（ステップＳ２３：ＮＯ）、近接しなくなったと検出された時点からステップＳ１７にて近接に変化した時点までカウントされた時間が「１５秒」であったとする。図４に示したフローでは、近接に変化したことを検出するとステップＳ１８にて時間のカウントを終了しているが、この場合は時間のカウントは終了せずにカウントは継続する。
【００７４】
このように、ステップＳ２３が存在することで以下のような効果が得られる。
【００７５】
ユーザが終話したと勘違いして携帯電話１００を耳から話した後、例えば、近接センサ１０１上に、何か物により覆われた場合、携帯電話１００は、近接していない状態から近接した状態に変化したと誤って検出する場合がある。そこで、ステップＳ２３のように、近接していない状態から近接した状態に変化する直前に、例えば、加速度センサ１０９などによって携帯電話１００が移動したことが検出することで、近接センサ１０１上に何か物により覆われた場合など、誤った検出を除去することができ、ユーザが耳などに再び携帯電話１００を近づけたことをより正確に検出できる。
【００７６】
なお、以下に上述のフローには記載していない、相手側が通話を切った場合について説明する。
【００７７】
例えば、通話相手が通話を切った場合、どのフローの段階においても通話状態が終了する。さらに、通話相手が通話を切る前に、時間のカウントがなされている場合は時間カウントも終了させる。また、通話相手が通話を切る前に、報知がなされている場合は報知も終了させる。
【符号の説明】
【００７８】
１００  携帯電話
１０１  近接センサ
１０２  表示画面
１０３  ランプ
１０４  受話口
１０５  送話口
１０６ａ  通話ボタン
１０６ｂ  終話ボタン
１０７ａ  電波状態表示
１０７ｂ  電池残量
１０７ｃ  日付表示
１０７ｄ  時刻表示
１０７ｅ  報知表示
１０８  制御部
１０９  加速度センサ
１１０  ＲＯＭ
１１１  ＲＡＭ
１１２  無線回路
１１３  アンテナ
１１４  加速度判別部
１１５  近接判別部
１１６  時間カウント部
１１７  所定時間判別部
１１８  報知手段制御部
【図１】
0005627342.tif 000002
【図２】
0005627342.tif 000003
【図３】
0005627342.tif 000004
【図４】
0005627342.tif 000005
【図５】
0005627342.tif 000006
【図６】
0005627342.tif 000007
【図７】
0005627342.tif 000008